(57)【特許請求の範囲】
【請求項１】
施工対象と、
前記施工対象におけるシロアリの侵入経路に、シロアリと接触するように、単独で配置され、薬剤が含浸された不織布とを備え、
前記不織布は、繊維長が１５〜１００ｍｍであり、ニードルパンチ法および／またはケミカルボンド法によって製造されていることを特徴とする、防蟻構造。
【請求項２】
前記施工対象が、基礎であることを特徴とする、請求項１に記載の防蟻構造。
【請求項３】
前記基礎は、鉛直方向に延びる第１基礎と、前記第１基礎から水平方向に延びる第２基礎とを備え、
前記不織布は、前記第１基礎および／または前記第２基礎に沿って配置されていることを特徴とする、請求項２に記載の防蟻構造。
【請求項４】
前記基礎は、水平方向に延びる第３基礎と、前記第３基礎から上方に延びる第４基礎とを備え、
前記不織布は、前記第３基礎および／または前記第４基礎に沿って配置されていることを特徴とする、請求項２に記載の防蟻構造。
【請求項５】
前記基礎の表面に配置される断熱材をさらに備え、
前記不織布は、前記断熱材に沿って配置されていることを特徴とする、請求項２〜４のいずれかに記載の防蟻構造。
【請求項６】
前記基礎の上に配置される束をさらに備え、
前記不織布は、前記束の表面に配置されていることを特徴とする、請求項２〜５のいずれかに記載の防蟻構造。
【請求項７】
前記基礎の上に配置される土台をさらに備え、
前記不織布は、前記土台に沿って配置されていることを特徴とする、請求項２〜６のいずれかに記載の防蟻構造。
【請求項８】
前記施工対象が、建材であることを特徴とする、請求項１に記載の防蟻構造。
【請求項９】
前記建材が、木製であることを特徴とする、請求項８に記載の防蟻構造。
【請求項１０】
前記施工対象が、電線、ケーブルおよび配管から選択される少なくとも１種であることを特徴とする、請求項１に記載の防蟻構造。
【請求項１１】
薬剤を含浸した不織布を、施工対象におけるシロアリの侵入経路に、シロアリと接触するように、単独で配置する工程を備え、
前記不織布は、繊維長が１５〜１００ｍｍであり、ニードルパンチ法および／またはケミカルボンド法によって製造されていることを特徴とする、防蟻方法。
【請求項１２】
前記不織布に薬剤を再施工する工程をさらに備えることを特徴とする、請求項１１に記載の防蟻方法。
【発明の詳細な説明】
【技術分野】
【０００１】
本発明は、防蟻構造および防蟻方法、詳しくは、基礎、電線、ケーブル、配管などの施工対象を防蟻するための防蟻構造および防蟻方法に関する。
【背景技術】
【０００２】
従来より、建物をシロアリによる食害から保護するために、種々の対策が検討されている。
【０００３】
例えば、基礎土台と、その上に配置される基礎木材と、それらの間に配置され、不織布層およびその上に積層される防蟻薬剤層を備える防蟻シート材とを備える防蟻構造が提案されている（例えば、特許文献１参照。）。また、特許文献１に記載の防蟻構造では、防蟻シート材は、スパンボンド法によって製造されたスパンボンド不織布に、防蟻薬剤を塗布することによって製造されている。
【先行技術文献】
【特許文献】
【０００４】
【特許文献１】特開平９−１１０６０６号公報
【発明の概要】
【発明が解決しようとする課題】
【０００５】
しかし、特許文献１に防蟻構造では、不織布がスパンボンド法によって製造されているため、防蟻シート材の防蟻効果が不十分であるという不具合がある。
【０００６】
本発明の目的は、より一層優れた防蟻効果を発現することのできる防蟻構造および防蟻方法を提供することにある。
【課題を解決するための手段】
【０００７】
本発明者らは、上記目的の防蟻構造および防蟻方法について鋭意検討したところ、繊維長が特定範囲であり、かつ、特定の製造方法によって製造される不織布に、薬剤を含浸させ、これを施工対象に配置することによって、より一層優れた防蟻効果を発現することができるという知見を見出し、さらに研究を進めた結果、本発明を完成するに至った。
【０００８】
すなわち、本発明は、
（１）  施工対象と、前記施工対象に配置され、薬剤が含浸された不織布とを備え、前記不織布は、繊維長が１５〜１００ｍｍであり、ニードルパンチ法および／またはケミカルボンド法によって製造されていることを特徴とする、防蟻構造、
（２）  前記施工対象が、基礎であることを特徴とする、前記（１）に記載の防蟻構造、
（３）  前記基礎は、鉛直方向に延びる第１基礎と、前記第１基礎から水平方向に延びる第２基礎とを備え、前記不織布は、前記第１基礎および／または前記第２基礎に沿って配置されていることを特徴とする、前記（２）に記載の防蟻構造、
（４）  前記基礎は、水平方向に延びる第３基礎と、前記第３基礎から上方に延びる第４基礎とを備え、前記不織布は、前記第３基礎および／または前記第４基礎に沿って配置されていることを特徴とする、前記（２）に記載の防蟻構造、
（５）  前記基礎の表面に配置される断熱材をさらに備え、前記不織布は、前記断熱材に沿って配置されていることを特徴とする、前記（２）〜（４）のいずれかに記載の防蟻構造、
（６）  前記基礎の上に配置される束をさらに備え、前記不織布は、前記束の表面に配置されていることを特徴とする、前記（２）〜（５）のいずれかに記載の防蟻構造、
（７）  前記基礎の上に配置される土台をさらに備え、前記不織布は、前記土台に沿って配置されていることを特徴とする、前記（２）〜（６）のいずれかに記載の防蟻構造、
（８）  前記施工対象が、建材であることを特徴とする、前記（１）に記載の防蟻構造、
（９）  前記建材が、木製であることを特徴とする、前記（８）に記載の防蟻構造、
（１０）  前記施工対象が、電線、ケーブルおよび配管から選択される少なくとも１種であることを特徴とする、前記（１）に記載の防蟻構造、
（１１）  薬剤を含浸した不織布を、施工対象に配置する工程を備え、前記不織布は、繊維長が１５〜１００ｍｍであり、ニードルパンチ法および／またはケミカルボンド法によって製造されていることを特徴とする、防蟻方法、
（１２）  前記不織布に薬剤を再施工する工程をさらに備えることを特徴とする、前記（１１）に記載の防蟻方法
である。
【発明の効果】
【０００９】
本発明の防蟻構造および防蟻方法によれば、繊維長が特定長さであり、かつ、特定の製造方法によって製造される不織布を用いるので、繊維がよじれ易く、不織布の表面が毛羽立つ状態となる。
【００１０】
そのため、シロアリの不織布の表面における歩行、および、シロアリの不織布に対する貫通を有効に防止することができる。
【００１１】
その結果、より一層優れた防蟻効果を発現することができる。
【図面の簡単な説明】
【００１２】
【図１】図１は、本発明の防蟻構造の一実施形態（第１断熱材が内断熱構造として配置され、不織布が第１断熱材の上面に配置される態様）を示す断面図である。
【図２】図２は、圧力損失測定装置の概略図である。
【図３】図３は、本発明の防蟻構造の他の実施形態（第２断熱材が外断熱構造として配置され、不織布が第２断熱材の上面に配置される態様）を示す断面図である。
【図４】図４は、本発明の防蟻構造の他の実施形態（断熱材が両側断熱構造として配置され、不織布が第２断熱材の下端部を被覆する態様、不織布が第２断熱材、布基礎および第１断熱材の上端部を被覆する態様、および、不織布が布基礎、打設コンクリート、第１断熱材および第３断熱材の隙間に配置される態様）を示す断面図である。
【図５】図５は、本発明の防蟻構造の他の実施形態（不織布が、布基礎、第３断熱材および第１断熱材の間に配置される態様）を示す断面図である。
【図６】図６は、本発明の防蟻構造の他の実施形態（不織布が第１断熱材および束に配置される態様）を示す断面図である。
【図７】図７は、本発明の防蟻構造の他の実施形態（不織布が第２断熱材および布基礎の間に配置される態様）を説明する断面図であって、（ａ）は、折り畳まれた不織布の挟持部を第２断熱材および布基礎によって挟持する工程、（ｂ）は、不織布の遊端部を展開する工程、（ｃ）は、土台を不織布の上に載置する工程を示す。
【図８】図８は、本発明の防蟻構造の他の実施形態（不織布が第２断熱材および布基礎の間に配置される態様）を説明する断面図であって、（ａ）は、２枚の不織布を、第１断熱材および布基礎の上端部に配置する工程、（ｂ）は、第２断熱材を布基礎に隣接させる工程を示す。
【図９】図９は、本発明の防蟻構造の他の実施形態（不織布が第２断熱材の継ぎ目に配置される態様）を示す断面図である。
【図１０】図１０は、本発明の防蟻構造の他の実施形態（不織布が第２断熱材および地面の間に配置される態様）を示す断面図である。
【図１１】図１１は、本発明の防蟻構造の他の実施形態（土台が不織布によって巻回される態様）を示す断面図である。
【図１２】図１２は、本発明の防蟻構造の他の実施形態（不織布が布基礎および打設コンクリートに沿って断面略Ｔ字形状に配置される態様）を説明する断面図であって、（ａ）は、不織布を布基礎の内側面に沿って配置する工程、（ｂ）は、不織布を展開する工程を示す。
【図１３】図１３は、本発明の防蟻構造の他の実施形態（不織布が布基礎および打設コンクリートに沿って断面略Ｌ字形状に配置される態様）を示す断面図である。
【図１４】図１４は、本発明の防蟻構造の他の実施形態（不織布が布基礎および打設コンクリートに沿って配置され、重石に載置される態様）を示す断面図である。
【図１５】図１５は、本発明の防蟻構造の他の実施形態（不織布が布基礎および打設コンクリートに沿って配置される態様）を説明する断面図であって、（ａ）は、不織布に堰部を形成する工程、（ｂ）は、固形薬剤を貯留部に配置する工程を示す。
【図１６】図１６は、本発明の防蟻構造の他の実施形態（不織布が打設コンクリートの下に配置される態様）を説明する一部切欠斜視図である。
【図１７】図１７は、本発明の防蟻構造の他の実施形態（不織布が打設コンクリートの下に配置される態様）を説明する断面図である。
【図１８】図１８は、本発明の防蟻構造の他の実施形態（不織布がべた基礎および基礎本体に沿って配置される態様）を説明する断面図である。
【図１９】図１９は、本発明の防蟻構造の他の実施形態（不織布がべた基礎および基礎本体に沿って配置される態様）を説明する断面図である。
【図２０】図２０は、本発明の防蟻構造の他の実施形態（不織布がべた基礎および基礎本体に沿って配置され、べた基礎の外端部と基礎本体の下端部とを被覆する態様）を説明する断面図である。
【図２１】図２１は、本発明の防蟻構造の他の実施形態（不織布がべた基礎、基礎本体および第２断熱材に沿って配置される態様）を説明する断面図であって、（ａ）は、折り畳まれた不織布を第２断熱材の下端部に配置する工程、（ｂ）は、第２断熱材をべた基礎の上に配置して、不織布の遊端部を展開する工程を示す。
【図２２】図２２は、本発明の防蟻構造の他の実施形態（不織布が基礎本体および第２断熱材に沿って配置される態様）を説明する断面図であって、（ａ）は、折り畳まれた不織布を第２断熱材の上側部分の下端部に配置する工程、（ｂ）は、第２断熱材の上側部分を第２断熱材の下側部分の上に配置して、不織布の遊端部を展開する工程を示す。
【図２３】図２３は、本発明の防蟻構造の他の実施形態（不織布が第１被覆部材に配置される態様）を示す断面図である。
【図２４】図２４は、本発明の防蟻構造の他の実施形態（不織布が第１被覆部材および第２被覆部材に配置される態様）を示す断面図である。
【図２５】図２５は、本発明の防蟻構造の他の実施形態（不織布が配管に配置される態様）を示す断面図である。
【図２６】図２６は、本発明の防蟻構造の他の実施形態（配管が断熱材によって被覆され、断熱材の切り目に不織布が配置される態様）を説明する斜視図であって、（ａ）は、不織布を切り目に巻回する途中の工程、（ｂ）は、不織布を切り目に巻回して、防蟻構造を形成する工程を示す。
【発明を実施するための形態】
【００１３】
図１は、本発明の防蟻構造の一実施形態（第１断熱材が内断熱構造として配置され、不織布が第１断熱材の上面に配置される態様）を示す断面図、図２は、圧力損失測定装置の概略図である。
【００１４】
なお、図１において、紙面右側を「内側」、紙面左側を「外側」とする。
【００１５】
図１において、この防蟻構造１は、施工対象としての基礎２と、基礎２に配置される不織布５とを備えている。
【００１６】
より具体的には、この防蟻構造１は、布基礎形式の基礎構造部に適用され、このような布基礎形式の基礎構造部は、第１基礎としての布基礎３と、第２基礎としての打設コンクリート４とを備えている。また、この防蟻構造１は、断熱材としての第１断熱材７と、土台６とをさらに備えている。
【００１７】
布基礎３は、鉛直方向（鉛直上方および鉛直下方）に延び、厚肉の平板状に形成されている。
【００１８】
打設コンクリート４は、厚肉の平板状に形成され、布基礎３の内側面から水平方向一方（内側）に延びるように配置されている。
【００１９】
第１断熱材７を形成する断熱材料としては、例えば、樹脂発泡体が挙げられる。
【００２０】
そのような樹脂発泡体としては、例えば、ポリウレタン樹脂発泡体、ポリスチレン樹脂発泡体、ポリエチレン樹脂発泡体、フェノール樹脂発泡体、塩化ビニル樹脂発泡体、ユリア樹脂発泡体、エポキシ樹脂発泡体、メタクリル樹脂発泡体などの発泡プラスチックが挙げられる。樹脂発泡体の気泡構造は、各気泡が完全に膜で仕切られた独立気泡と、各気泡間が通気される（連通する）通気性気泡とのどちらを用いることもできる。
【００２１】
また、断熱材料として、上記した樹脂発泡体（発泡プラスチック）以外に、例えば、グラスウール、ロックウール（岩綿）などの綿状物、例えば、セルロース繊維（セルロールファイバー）、炭素繊維（カーボンファイバー）、アセテート繊維、ポリアミド繊維、ポリオレフィン繊維、アクリル樹脂繊維などの人工繊維や、羊毛繊維、綿繊維、麻繊維、絹繊維などの天然繊維などの繊維状物が挙げられる。
【００２２】
第１断熱材７が通気性気泡の気泡構造である樹脂発泡体から形成されていれば、後述する薬剤の施工および再施工（後述）において、薬剤を第１断熱材７に施工すれば、第１断熱材７が、薬剤が担持される担体、および／または、薬剤が通過するための通路となることから、薬剤が、第１断熱材７に担持され、および／または、第１断熱材７を通過する。
【００２３】
そのため、薬剤を、第１断熱材７を介して不織布５に容易に施工することができる。
【００２４】
第１断熱材７は、打設コンクリート４の上面において、布基礎３の内側面（打設コンクリート４に隣接する隣接面）に沿って配置されている。具体的には、第１断熱材７は、鉛直方向に延びる厚肉の平板状に形成され、布基礎３の内側面と接触するように配置されている。また、第１断熱材７の上面は、布基礎３の上面と、水平方向において実質的に略面一に形成されている。
【００２５】
土台６は、木製であって、布基礎３の上面に配置されており、断面視略矩形状に形成されている。
【００２６】
不織布５は、第１断熱材７の上面全面に配置され、水平方向に沿うシート状に形成されている。また、不織布５は、上下方向に投影したときに、その内端縁および外端縁は、第１断熱材７の内側面および外側面と、それぞれ同じ位置に形成されている。なお、不織布５は、必要により、アンカーボルト、ボルト、釘、接着剤などの固定部材によって第１断熱材７の上面に固定されている。
【００２７】
具体的には、不織布５は、その繊維長が、１５〜１００ｍｍ、好ましくは、３０〜８０ｍｍ、さらに好ましくは、５０〜８０ｍｍである。繊維長が上記範囲にあれば、シロアリの不織布５の表面における水平方向の歩行および／不織布５に対する厚み方向の貫通を有効に防止することができる。
【００２８】
また、不織布５の繊維径は、例えば、５〜１００μｍ、好ましくは、１０〜５０μｍである。繊維径が上記範囲にあれば、シロアリの不織布５の表面における水平方向の歩行および／不織布５に対する厚み方向の貫通を有効に防止することができる。
【００２９】
また、不織布５の目付（坪量）は、例えば、３０〜１０００ｇ／ｍ２、好ましくは、５０〜５００ｇ／ｍ２、さらに好ましくは、５０〜２００ｇ／ｍ２である。
【００３０】
また、不織布５は、ニードルパンチ法および／またはケミカルボンド法によって製造されている。
【００３１】
また、不織布５の繊維材料としては、例えば、ポリエステル（具体的には、ポリエチレンテレフタレート、ポリエチレンナフタレートなど）、ポリアミド、ポリビニルアルコール、ポリエチレン、ポリプロピレン、ポリスルホン、ポリエーテルスルホン、ポリカーボネート、ポリウレタン、アラミド、アクリルなどの合成材料、例えば、絹、綿、麻などの天然材料が挙げられる。
【００３２】
また、不織布５の繊維材料として、炭素繊維も挙げられる。炭素繊維の種類としては、例えば、ポリアクリロニトリル（ＰＡＮ）系炭素繊維、ピッチ系炭素繊維、レーヨン系炭素繊維、フェノール系炭素繊維などが挙げられる。
【００３３】
不織布５の繊維材料として、好ましくは、合成材料が挙げられる。
【００３４】
不織布５における各繊維は、図１の拡大模式図に示すように、例えば、よじれ（ねじれ）部分を有するとともに、端部が外方（上方および水平方向）に突出する部分、つまり、毛羽立ち部分を有している。
【００３５】
また、不織布５は、通気性を有しており、具体的には、下記の測定による圧力損失ΔＰが、例えば、０．１〜５ｍｍ水柱、好ましくは、０．５〜３ｍｍ水柱である。
【００３６】
（圧力損失）
まず、図２に示す圧力損失測定装置２５を用意する。図２において、圧力損失測定装置２５は、送風ファン１４と、それの送風方向下流側に接続される第１ライン１５と、第１ライン１５の送風方向下流側に接続されるカラム１６とを備えている。
【００３７】
第１ライン１５には、送風方向上流側から下流側に向かって、バルブ２０および流量計２１が順次介装されている。
【００３８】
バルブ２０は、開閉によって第１ライン１５における送風を開始および停止する。
【００３９】
流量計２１としては、例えば、フロート（浮き）を備えるフロートメータなどが挙げられ、フロートの高さによって、第１ライン１５における送風量を測定する。
【００４０】
カラム１６は、有底円筒形状をなし、内径が５０ｍｍである。また、カラム１６の底壁（上壁）は、第１ライン１５に接続されている。また、カラム１６における送風方向途中（送風方向上流側端部および下流側端部の間、中央）には、直交方向（送風方向に直交する方向）に沿って配置される不織布５が設置されている。これにより、カラム１６には、不織布５の送風方向上流側に、不織布５、周壁および上壁によって仕切られる上流側室２２と、不織布５の送風方向下流側に、不織布５および周壁によって仕切られる下流側室２３とが形成されている。
【００４１】
上流側室２２は、第２ライン１７を介して圧力計１９と連通している。また、下流側室２３は、第３ライン１８を介して圧力計１９と連通している。
【００４２】
圧力計１９としては、例えば、マノメータなどが挙げられる。なお、マノメータには、水などの流体が充填され、両端が第２ライン１７および第３ライン１８にそれぞれ接続される略Ｕ字管から形成されている。圧力計１９は、上流側室２２の気圧（上流側圧）Ｐ１と、下流側室２３の気圧（下流側圧）Ｐ２との差圧ΔＰ（＝上流側圧Ｐ１−下流側圧Ｐ２）を、不織布５の圧力損失ΔＰとして測定する。
【００４３】
そして、上記した圧力損失測定装置２５を用意した後、まず、送風ファン１４を駆動させるとともに、バルブ２０を開状態とすることにより、不織布５が設置されたカラム１６に、第１ライン１５を介して送風する。同時に、流量計２１により測定される送風量が１００Ｌ／分となるように、送風ファン１４の駆動量を調整する。
【００４４】
そして、圧力計１９によって差圧ΔＰを測定することにより、不織布５の送風量１００Ｌ／分における圧力損失ΔＰを算出する。
【００４５】
不織布５の圧力損失が上記した範囲内であれば、後述する再施工を容易に実施することができ、しかも、空気の流通の妨害を防止でき、例えば、木材（具体的には、後述する土台６（図１）の表面全面）を被覆する場合でも、木材の呼吸の妨害を防止することができる。
【００４６】
また、不織布５は、吸液（液保持）性を有しており、具体的には、下記の測定による吸水率Ａが、例えば、１〜２００ｇ／ｇ、好ましくは、２〜１００ｇ／ｇ、好ましくは、５〜５０ｇ／ｇである。
【００４７】
（吸水率）
まず、吸水前の不織布５の重量Ｗ１を測定する。
【００４８】
次いで、不織布５を水に十分に浸漬し、次いで、不織布５を水から引き上げ、その後、不織布５を、例えば、１〜５分程度放置するか、あるいは、軽く絞ることにより、余剰の水を落下させた後の不織布５の重量を測定し、これを、吸水後の不織布５の重量Ｗ２として得る。
【００４９】
そして、下記式により、吸水率Ａ（ｇ／ｇ）を算出する。
【００５０】
吸水率Ａ＝（吸水後の不織布５の重量Ｗ２−吸水前の不織布５の重量Ｗ１）／（吸水前の不織布５の重量Ｗ１）
不織布５の吸水率Ａが上記した範囲内であれば、後述する薬剤の施工時における不織布５の薬剤（好ましくは、後述する懸濁剤、液剤として調製さる薬剤）に対する含浸量を特定範囲に設定することができる。
【００５１】
また、不織布５は、各繊維間同士を接着剤によって接着されることなく、形成されている。
【００５２】
このような不織布５の厚み（非圧縮時の厚み）Ｔ１は、例えば、０．１ｍｍ以上、好ましくは、０．３ｍｍ以上であり、通常、例えば、４ｍｍ以下、好ましくは、３ｍｍ以下である。
【００５３】
一方、不織布５の圧縮（圧力１０ｋＰａの圧縮）時の厚みＴ２は、例えば、０．０５ｍｍ以上、好ましくは、０．１ｍｍ以上であり、通常、例えば、０．８ｍｍ以下、好ましくは、０．５ｍｍ以下である。
【００５４】
また、不織布５は、単層として形成することができ、あるいは、必要により、複数枚が積層された複数層の不織布層として形成することもできる。
【００５５】
不織布５を複数層で形成すれば、１枚の不織布５を、柔軟性の観点から薄く形成しても、不織布層の厚みを特定範囲に設定することができる。そのため、作業性を向上させることができる。
【００５６】
また、不織布５を複数層で形成する場合には、好ましくは、上下方向に投影したときに、各層の周端部を互いにずらすように、配置する。さらに好ましくは、各層を無荷重あるいは微小な荷重で積層する。これにより、各層間に空間（隙間）を形成することができる。
【００５７】
シロアリは、まず、部材の端部に取り付き、その後、部材間や部材の内部に侵入しようとするところ、不織布５の各層の周端部をずらすことにより、周端部への取り付きの回数を増加させることができるとともに、互いに位置ずれした層間の隙間にシロアリを案内することができる。
【００５８】
そのため、シロアリを、各層の防蟻成分と効率よく接触させることができる。その結果、防蟻効果を向上させることができる。
【００５９】
なお、上記した製造方法により得られる不織布５は、柔軟性および伸縮性を有している。
【００６０】
上記した不織布５は、繊維長が上記した特定範囲と短く、毛羽立ち部分を有し、さらに、繊維間同士が全面で接着されておらず、しかも、その隙間に空気を多く含み、荷重により容易に厚さが変わるので、シロアリが繊維間に足を取られることによって、シロアリの歩行を妨げることができるとともに、良好な通気性、および、再施工（後述）時の薬剤の良好な付着性を発現することができる。
【００６１】
次に、この防蟻構造１（図１）を用いた、本発明の防蟻方法の一実施形態について説明する。
【００６２】
まず、この方法では、布基礎形式の基礎構造部における布基礎３および打設コンクリート４と、第１断熱材７と、土台６とを上記した配置で配置する。
【００６３】
次いで、不織布５を、第１断熱材７の上面全面に配置する。
【００６４】
不織布５は、予め薬剤が含浸されている。
【００６５】
薬剤は、例えば、防蟻成分を含有する防蟻組成物である。
【００６６】
防蟻成分としては、例えば、ネオニコチノイド系化合物、ピレスロイド系化合物、有機塩素系化合物、有機リン系化合物、カルバメート系化合物、ピロール系化合物、フェニルピラゾール系化合物、オキサジアジン系化合物、セミカルバゾン系化合物、アントラニリックジアミド系化合物、植物またはその処理物あるいはその誘導体などが挙げられる。
【００６７】
上記した防蟻成分は、単独使用または２種以上を併用することができる。好ましくは、ネオニコチノイド系化合物が挙げられる。
【００６８】
ネオニコチノイド系化合物としては、例えば、（Ｅ）−１−（２−クロロ−１，３−チアゾール−５−イルメチル）−３−メチル−２−ニトログアニジン（一般名：クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（一般名：イミダクロプリド）、３−（２−クロロチアゾール−５−イルメチル）−５−［１，３，５］オキサジアジナン−４−イルインデン−Ｎ−ニトロアミン（一般名：チアメトキサム）、（ＲＳ）−１−メチル−２−ニトロ−３−（テトラヒドロ−３−フリルメチル）グアニジン（一般名：ジノテフラン）、（Ｅ）−Ｎ１−［（６−クロロ−３−ピリジル）メチル］−Ｎ２−シアノ−Ｎ１−メチルアセトアミジン（一般名：アセタミプリド）などが挙げられる。
【００６９】
これらネオニコチノイド系化合物は、単独使用または２種類以上併用することができる。ネオニコチノイド系化合物のうち、好ましくは、クロチアニジンが挙げられる。
【００７０】
ピレスロイド系化合物としては、例えば、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、フェンバレレートなどが挙げられ、好ましくは、ペルメトリン、ビフェントリン、シフェノトリン、エトフェンプロックス、シラフルオフェンが挙げられる。
【００７１】
有機塩素系化合物としては、例えば、ケルセンなどが挙げられる。
【００７２】
有機リン系化合物としては、例えば、ホキシム、ピリダフェンチオン、フェニトロチオン（ＭＥＰ）、テトラクロルビンホス、ジクロフェンチオン、プロペタンホスなどが挙げられる。
【００７３】
カルバメート系化合物としては、例えば、カルバリル、フェノブカルブ（ＢＰＭＣ）、プロポクスルなどが挙げられる。
【００７４】
ピロール系化合物としては、例えば、クロルフェナピルなどが挙げられる。
【００７５】
フェニルピラゾール系化合物としては、例えば、フィプロニルなどが挙げられる。
【００７６】
オキサジアジン系化合物としては、例えば、インドキサカルブなどが挙げられる。
【００７７】
セミカルバゾン系化合物としては、例えば、α−（α，α，α−トリフルオロ−ｍ−トルオイル）−ｐ−トリニトリル４−（ｐ−トリフルオロメトキシフェニル）セミカルバゾンなどが挙げられる。
【００７８】
アントラニリックジアミド系化合物としては、例えば、クロラントラニリプロールなどが挙げられる。
【００７９】
植物またはその処理物あるいはその誘導体としては、例えば、特開２００２−３０７４０６号公報、特開２００３−２５２７０８号公報、特開２００５−７４７７６号公報に記載されたものが挙げられる。
【００８０】
また、防蟻組成物における防蟻成分は、不織布５に保持されることができる製剤形態であれば、特に限定されず、例えば、フロアブル剤、マイクロカプセル剤（水などの溶媒に分散されたもの）、担体担持剤などの懸濁剤、例えば、油剤、乳剤などの液剤、例えば、粉剤などとして、調製される。また、上記した懸濁剤および／または液剤に、発泡剤を配合したムース剤として調製することもできる。
【００８１】
好ましくは、これらのうち、防蟻成分を、溶媒に分散されたマイクロカプセル剤として調製する。マイクロカプセル剤は、後述する毛羽立ち部分における付着量を増大させることができる。
【００８２】
防蟻組成物における防蟻成分の重量割合は、例えば、０．００１〜５０重量％、好ましくは、０．０１〜２５重量％である。
【００８３】
なお、防蟻組成物には、必要により、公知の添加剤を添加することができ、そのような添加剤としては、例えば、防かび剤、抗菌剤、難燃剤、分散剤、界面活性剤、沈降防止剤、ポリエステル樹脂、エポキシ樹脂などの樹脂、接着剤、オキシカルボン酸やケイフッ化物などの硬化遅延剤、アルミン酸ナトリウム、カルシウムなどの硬化促進剤、ポリプロピレン、ポリエチレン、アラミド樹脂などのコンクリート補強剤などが挙げられる。
【００８４】
不織布５には、薬剤を、例えば、浸漬、塗布（例えば、スプレー塗布など）などによって含浸させる。
【００８５】
含浸量は、例えば、１０〜５０００ｇ／ｍ２（不織布５の単位面積当たりの薬剤重量）、好ましくは、１００〜２５００ｇ／ｍ２であり、つまり、例えば、０．１〜１７０ｇ／ｇ（不織布５の単位重量当たりの薬剤重量）、好ましくは、０．４〜５０ｇ／ｇでもある。
【００８６】
その後、必要により、不織布５を乾燥させて、溶媒などを留去する。これにより、不織布５の繊維の表面には、薬剤の防蟻成分を固形状で残存させることができる。
【００８７】
そして、この防蟻構造１および防蟻方法によれば、繊維長が特定長さであり、かつ、特定の製造方法によって製造される不織布５を用いるので、不織布５の繊維のよじれ部分、および、不織布５の表面の毛羽立ち部分を有している。
【００８８】
すなわち、不織布５のよじれ部分および毛羽立ち部分によって、シロアリの歩行および侵入を物理的に阻害することができる。具体的には、シロアリは、よじれ部分および毛羽立ち部分によって、不織布５の表面を蛇行する必要があるため、自由な歩行が阻害される。とりわけ、防蟻成分がマイクロカプセル剤として調製されていれば、かかるマイクロカプセル剤が大量に付着した毛羽立ち部分に、シロアリを接触させることができる。
【００８９】
そのため、シロアリの不織布５の表面における水平方向の歩行、および、シロアリの不織布５に対する厚み方向（鉛直方向）の貫通を、有効に防止することができる。
【００９０】
その結果、より一層優れた防蟻効果を発現することができる。
【００９１】
また、不織布５は、柔軟性を有しているため、施工対象である基礎２の形状に対応して、柔軟に配置することができる。
【００９２】
なお、上記した説明では、薬剤を、不織布５に含浸させているが、例えば、塗装（塗布）することもできる。
【００９３】
また、上記した説明では、薬剤を、予め、第１断熱材７の配置前に浸漬しているが、例えば、上記した薬剤の浸漬に加え、第１断熱材７の配置から所定期間経過後に薬剤を再度施工（再施工）することができる。
【００９４】
再施工するには、例えば、不織布５、具体的には、不織布５の一端部に薬剤に塗布および／または注入する。
【００９５】
第１断熱材７の配置から薬剤の再施工までの期間は、例えば、３年以上、好ましくは、５年以上、通常、２０年以内、好ましくは、１０年以内に設定される。
【００９６】
この再施工では、不織布５に薬剤を施工するのみであるので、簡易な方法で優れた防蟻効果を長期にわたって確保することができる。
【００９７】
また、上記した説明では、不織布５を、第１断熱材７の上面のみに配置しているが、例えば、図１の仮想線で示すように、第１断熱材７の上面および布基礎３の上面に配置することもできる。
【００９８】
つまり、不織布５は、第１断熱材７の上面および布基礎３の上面の両面全面にわたって連続するように、配置されている。
【００９９】
不織布５を布基礎３の上面に配置することにより、布基礎３における防蟻効果を向上させることができる。
【０１００】
また、上記した説明では、不織布５を、第１断熱材７の上面に配置しているが、図１の破線で示すように、第１断熱材７の下面に配置することもできる。
【０１０１】
不織布５は、第１断熱材７の下面全面（打設コンクリート４の上面の外端部）および布基礎３に隣接する隣接面（外側面）の下端部に連続するように、断面略Ｌ字形状に配置されている。
【０１０２】
また、不織布５の両端部（上端部および内端部）を、必要により、布基礎３および打設コンクリート４に、例えば、上記した固定部材により固定することができる。好ましくは、接着剤により接着する。
【０１０３】
これにより、図１の１点鎖線で示すように、布基礎３の内側面と打設コンクリート４の外側面とが互いに離間して、それらの間にクラック３３が生じても、不織布５が伸縮性を有するので、不織布５においてクラック３３に対応する部分が、上記した離間に追従することができ、クラック３３の上端部を被覆することができる。そのため、シロアリのクラック３３への侵入を防止することができる。
【０１０４】
さらにまた、不織布５の両端部を布基礎３および打設コンクリート４に固定しつつ、その中央部を、ひだ状に形成することもできる。これにより、不織布５のクラック３３に対応する部分を、中央部の伸びによって、上記した離間に容易かつ確実に追従させることができ、シロアリのクラック３３への侵入を容易かつ確実に防止することができる。
【０１０５】
また、図１には図示しないが、不織布５と土台６との間に、ねこ土台（図示せず）を設置して、不織布５と土台６との間に、適宜の隙間を形成することもできる。
【０１０６】
また、上記した説明では、不織布５を、第１断熱材７の上面および／または下面に配置しているが、例えば、図示しないが、第１断熱材７の表面全面に配置することもできる。
【０１０７】
すなわち、第１断熱材７の表面（上面、下面、内側面および外側面）は、不織布５によって全て被覆されている。
【０１０８】
なお、図１の実線の実施形態では、不織布５の内端縁を、第１断熱材７の内側面と、上下方向に投影したときに、同じ位置に形成しているが、例えば、図１の仮想線で示すように、第１断熱材７の内側面より、内側に突出するように形成することもできる。
【０１０９】
図３は、本発明の防蟻構造の他の実施形態（第２断熱材が外断熱構造として配置され、不織布が第２断熱材の上面に配置される態様）を示す断面図、図４は、本発明の防蟻構造の他の実施形態（断熱材が両側断熱構造として配置され、不織布が第２断熱材の下端部を被覆する態様、不織布が第２断熱材、布基礎および第１断熱材の上端部を被覆する態様、および、不織布が布基礎、打設コンクリート、第１断熱材および第３断熱材の隙間に配置される態様）を示す断面図、図５は、本発明の防蟻構造の他の実施形態（不織布が、布基礎、第３断熱材および第１断熱材の間に配置される態様）を示す断面図、図６は、本発明の防蟻構造の他の実施形態（不織布が第１断熱材および束に配置される態様）を示す断面図、図７および図８は、本発明の防蟻構造の他の実施形態（不織布が第２断熱材および布基礎の間に配置される態様）を説明する断面図、図９は、本発明の防蟻構造の他の実施形態（不織布が第２断熱材の継ぎ目に配置される態様）を示す断面図、図１０は、本発明の防蟻構造の他の実施形態（不織布が第２断熱材および地面の間に配置される態様）を示す断面図、図１１は、本発明の防蟻構造の他の実施形態（土台が不織布によって巻回される態様）を示す断面図、図１２は、本発明の防蟻構造の他の実施形態（不織布が布基礎および打設コンクリートに沿って断面略Ｔ字形状に配置される態様）を説明する断面図、図１３は、本発明の防蟻構造の他の実施形態（不織布が布基礎および打設コンクリートに沿って断面略Ｌ字形状に配置される態様）を説明する断面図、図１４は、本発明の防蟻構造の他の実施形態（不織布が布基礎および打設コンクリートに沿って配置され、重石に載置される態様）を示す断面図、図１５〜図２０は、本発明の防蟻構造の他の実施形態（不織布が布基礎および打設コンクリートに沿って配置される態様）を説明する断面図および一部切欠斜視図、図２１は、本発明の防蟻構造の他の実施形態（不織布がべた基礎、基礎本体および第２断熱材に沿って配置される態様）を説明する断面図、図２２は、本発明の防蟻構造の他の実施形態（不織布が基礎本体および第２断熱材に沿って配置される態様）を説明する断面図である。
【０１１０】
なお、以降の各図面において、上記した各部に対応する部材については、同一の参照符号を付し、その詳細な説明を省略する。
【０１１１】
上記した図１の説明では、防蟻構造１において、断熱材（第１断熱材７）を、内断熱構造として配置したが、例えば、図３に示すように、断熱材（第２断熱材８）を、外断熱構造として配置し、その断熱材の表面に不織布５を配置することができる。さらには、図４および図５に示すように、断熱材（第１断熱材７および第２断熱材８）を、両側断熱構造（第１断熱材７および第２断熱材８が布基礎３の内側および外側の両側にそれぞれ配置される断熱構造）として配置し、それらの断熱材の表面に不織布５を配置することもできる。
【０１１２】
図３において、第２断熱材８は、布基礎３の外側面（打設コンクリート４に隣接する隣接面と反対側面）に沿って配置されている。すなわち、第２断熱材８は、布基礎３の外側面と接触するように、第２断熱材８の外側面全面にわたって配置されている。また、第２断熱材８の上面は、布基礎３の上面と、水平方向において実質的に略面一に形成されている。また、不織布５の外端縁は、上下方向に投影したときに、第２断熱材８の外側面と同じ位置に形成されている。
【０１１３】
第２断熱材８は、上記した第１断熱材７と同様の材料から形成されている。
【０１１４】
不織布５は、第２断熱材８の上面全面に配置されている。
【０１１５】
また、図示しないが、不織布５によって、第２断熱材８の表面全面（外側面、内側面、上面および下面）を被覆することもできる。つまり、不織布５によって第２断熱材８を全て包むこともできる。
【０１１６】
さらに、第２断熱材８に、予め、特開２００７−１４６１５９に記載されるシロアリ防除用塗料組成物を塗布して、第２断熱材８の表面（外側面および内側面を含む）にシロアリ防除用塗料組成物からなる塗膜を形成することもできる。
【０１１７】
これにより、第２断熱材８の表面におけるシロアリの歩行をより一層効率的に阻害することができる。
【０１１８】
また、図示しないが、第２断熱材８の外側面（基礎３に対する反対側面）には、美観の観点から、塗装を施すこともできる。
【０１１９】
また、図３の実施形態では、不織布５の外端縁を、上下方向に投影したときに、第２断熱材８の外側面と同じ位置に形成しているが、例えば、図３の仮想線で示すように、第２断熱材８の外側面より外側に突出するように形成することもできる。
【０１２０】
また、図４において、不織布５は、第２断熱材８の下端部を被覆している。つまり、不織布５は、第２断熱材８の内側面（布基礎３に隣接する隣接面）の下端部、下面全面および外側面（布基礎３に隣接する隣接面との反対側面）の下端部に連続するように、上方に向かって開く断面視略コ字形状に配置されている。
【０１２１】
また、不織布５によって、第１断熱材７、布基礎３および第２断熱材８の上端部を被覆することもできる。
【０１２２】
つまり、不織布５は、第２断熱材８の外側面の上端部および上面全面と、布基礎３の上面全面と、第１断熱材７の上面全面および内側面の上端部とに、連続するように、下方に向かって開く断面視略コ字形状に配置されている。
【０１２３】
また、図４に示すように、不織布５を、布基礎３の内側面と打設コンクリート４の上面との連結部分が臨む隙間１３に配置することもできる。
【０１２４】
図４において、第３断熱材９が、打設コンクリート４の上面に設けられ、水平方向に延びるように配置されている。なお、第３断熱材９は、上記した第１断熱材７と同様の材料から形成されている。
【０１２５】
第１断熱材７の下端部は、第３断熱材９の外端部の上面に載置されている。また、第１断熱材７の下端部は、打設コンクリート４の上面と第３断熱材９の厚み分の間隔を隔てて対向配置されている。また、第３断熱材９は、その外端部が、布基礎３の内側面と第１断熱材７の厚みより薄い厚み分の間隔を隔てて対向配置されている。
【０１２６】
これにより、隙間１３が、第１断熱材７の下端面、第３断熱材９の外側面、打設コンクリート４の上面および布基礎３の内側面とにより区画されている。
【０１２７】
かかる隙間１３に、不織布５が折り畳まれた状態で収容されている。
【０１２８】
また、図５に示すように、不織布５を、第１断熱材７および第３断熱材９の間に配置することもできる。
【０１２９】
図５において、第３断熱材９は、その外端部が、布基礎３の内側面と不織布５が配置される微少な隙間を隔てて配置されている。
【０１３０】
また、第１断熱材７は、その下端部が、第３断熱材９の上面と不織布５が配置される微少な隙間を隔てて載置されている。
【０１３１】
さらに、第３断熱材９の上面には、電熱線を含む電熱コンクリート１１が設けられており、電熱コンクリート１１は、第１断熱材７の内側面から水平方向一方（内側）に延び、電熱コンクリート１１の外端部が、第１断熱材７と不織布５が配置される微少な隙間を隔てて配置されている。
【０１３２】
そして、不織布５は、第３断熱材９の外端部および電熱コンクリート１１の外端部を被覆するように、配置されている。
【０１３３】
すなわち、不織布５は、第３断熱材９の下面の外端部、外側面全面および上面の外端部と、電熱コンクリート１１の外側面全面および上面の外端部とに、連続するように、配置されている。
【０１３４】
より具体的には、不織布５は、第３断熱材９の外端部において、第３断熱材９の下面および打設コンクリート４の上面の間と、第３断熱材９の外側面および布基礎３の内側面の間と、第３断熱材９の上面および第１断熱材７の下面の間とに、連続するように、内方に向かって開く断面視略コ字形状に配置されている。また、不織布５は、電熱コンクリート１１の外端部において、第１断熱材７の内側面および電熱コンクリート１１の外側面の間と、電熱コンクリート１１の上面とにわたって、連続するように、断面視略Ｌ字形状に配置されている。
【０１３５】
また、不織布５は、電熱コンクリート１１の上面における一端部が、第３断熱材９の内側面から内方に向かって延びるように配置されている。
【０１３６】
また、図５の仮想線で示すように、不織布５を、布基礎３の継ぎ目１２に配置することもできる。
【０１３７】
継ぎ目１２は、布基礎３の鉛直方向途中において、水平方向に沿って形成される。また、継ぎ目１２は、打設コンクリート４の上端から水平方向に延びるように形成されている。
【０１３８】
さらに、図５の破線で示すように、不織布５を、布基礎３の表面（外側面）、つまり、第２断熱材８の裏面（内側面）に、継ぎ目１２の外側部分を被覆するように、配置することもできる。
【０１３９】
また、図６に示すように、不織布５を、基礎２および束１０の両方に施工することもできる。
【０１４０】
図６において、束１０は、打設コンクリート４の上に配置され、具体的には、打設コンクリート４の上面に立設している。また、束１０は、例えば、鋼などの剛性材料からなり、上下方向に延び、上下方向両端部が、略半球（または略三角形状）に形成されている。さらに、束１０は、大引き２４を支持している。  大引き２４は、木製であって、束１０の上に配置されており、断面視略矩形状に形成されている。
【０１４１】
そして、不織布５は、束１０の上端部に接触しており、具体的には、束１０の上端部の上面と、大引き２４の下面との間に介在されている。また、不織布５は、上下方向に投影したときに、束１０の上端部を含むように形成され、具体的には、束１０の上端部の上面より大きく形成されている。
【０１４２】
また、不織布５は、中央部が、束１０の上端部と大引き２４とにより狭持され、周端部が、束１０の上端部から露出している。また、不織布５の周端部は、鼠返し状に形成され、具体的には、束１０から離間するに従って下側に湾曲する（垂れる、あるいは、撓む）ように形成されている。
【０１４３】
そして、この束１０では、シロアリの不織布５の表面における水平方向の歩行、および、シロアリの不織布５に対する厚み方向（鉛直方向）の貫通を、有効に防止することができる。
【０１４４】
さらに、不織布５は、中央部が束１０によって支持される固定部分となる一方、周端部が束１０から露出する遊端部分となるため、不織布５の周端部が容易に上下方向に揺動できる。そのため、シロアリの不織布５の周端部における歩行、さらには、周端部へのシロアリの取り付きをより一層有効に阻害することができる。
【０１４５】
その結果、より一層優れた防蟻効果を発現することができる。
【０１４６】
また、不織布５の周端部が束１０から露出することから、薬剤を不織布５の周端部に容易に塗布することができる。そのため、薬剤の再施工を容易に実施することができる。
【０１４７】
また、不織布５は、伸縮性を有するので、束１０による大引き２４の確実な支持を確保することができる。
【０１４８】
また、上記した説明では、不織布５を、束１０の上端部の上面に接触させているが、例えば、図６の仮想線で示すように、束１０の下端部の下面に接触させることができ、さらには、図６の破線で示すように、束１０の外周面に接触させることもできる。
【０１４９】
図６において、仮想線で示される不織布５は、束１０の下端部の下面と、打設コンクリート４の上面との間に介在されている。
【０１５０】
また、図６において、破線で示される不織布５は、束１０の上下方向中央に設けられ、束１０の外周面（外側面）に沿って巻回されている。
【０１５１】
また、図６において、不織布５を基礎２および束１０の両方に施工しているが、例えば、図示しないが、束１０のみ（破線および仮想線で示す束１０）に施工することもできる。
【０１５２】
また、図４では、不織布５を、布基礎３の下端部と、第２断熱材８の下端部との間に配置しているが、例えば、図７および図８に示すように、布基礎３の上端部と、第２断熱材８の上端部との間に配置することもできる。
【０１５３】
図７（ｂ）において、この防蟻構造１では、不織布５の下端部が、布基礎３の上端部と、第２断熱材８の上端部とによって挟持される挟持部３９とされている。
【０１５４】
図７（ｂ）に示す防蟻構造１を形成するには、まず、図７（ａ）に示すように、布基礎３の上端部と、第２断熱材８の上端部とによって、不織布５の挟持部３９を挟持させる。
【０１５５】
具体的には、まず、不織布５の挟持部３９を布基礎３の外側面の上端部に沿って配置し、その後、第２断熱材８を、挟持部３９を含む布基礎３の外側面に配置する。
【０１５６】
なお、第２断熱材８は、例えば、接着剤を介した接着、あるいは、型枠を介した吹付などによって、挟持部３９を含む布基礎３の外側面に設けられる。
【０１５７】
また、不織布５は、折り畳まれており、具体的には、複数（具体的には、２開）折り畳まれている。詳しくは、不織布５は、２つ折されている。不織布５は、折目が下側を指向するように、配置される。
【０１５８】
なお、２つ折される前の不織布５の幅は、図７（ｂ）に示すように、挟持部３９の長さＬ１の２倍の長さと、布基礎３の上面の幅（内外方向長さ）Ｌ３と、第２断熱材８の上面の幅Ｌ２との合計長さより長く調整されている。
【０１５９】
なお、挟持部３９は、内外方向に重なり合う２層構造となっている。
【０１６０】
次いで、図７（ａ）の矢印および図７（ｂ）に示すように、不織布５を展開する。
【０１６１】
具体的には、不織布５において、２つの遊端部４０を、外側および内側に拡げる。
【０１６２】
これによって、第２断熱材８の上面、および、布基礎３の上面が、不織布５の遊端部４０によって被覆される。
【０１６３】
なお、展開後の遊端部４０の外側端縁は、上下方向に投影したときに、第２断熱材８の外側面と同一位置に形成されていてもよい。つまり、遊端部４０の外側端縁は、第２断熱材８の外側面と面一に形成されていてもよい。
【０１６４】
一方、展開後の遊端部４０の内側端縁は、布基礎３の内側面から内側に突出している。不織布５の突出部４１は、断面略傘形状をなし、具体的には、布基礎３の上端部から内方斜め下側に向かって垂れるように、形成される。
【０１６５】
なお、必要により、図７（ｃ）に示すように、土台６を、布基礎３の上面に、不織布５を介して配置する。
【０１６６】
そして、図７（ｂ）および図７（ｃ）の実線で示す防蟻構造１では、布基礎３と第２断熱材８との間に沿って上方に向かって侵入するシロアリの歩行を物理的に阻害することができる。さらに、布基礎３と第２断熱材８との間に沿って上方から侵入するシロアリの歩行を物理的に阻害することもできる。
【０１６７】
しかも、不織布５の突出部４１によって、布基礎３の内側面に沿って上方に向かって侵入するシロアリの歩行を阻害することもできる。つまり、不織布５の突出部４１は、シロアリを下側に返すシロアリ返し（鼠返しと類似）の作用を奏することもできる。
【０１６８】
さらに、図７（ｂ）（および図７（ｃ））の矢印が参照されるように、第２断熱材８の外側から第２断熱材８の上面に配置される不織布５の外端部に向けて薬剤を注入することによって、薬剤を不織布５に容易に再施工することができる。
【０１６９】
さらに、図７（ｃ）の仮想線で示すように、この防蟻構造１に、壁３８および第４断熱材３７を設けることができる。
【０１７０】
図７（ｃ）の仮想線で示すように、壁３８は、土台６の上に配置される。壁３８は、上下方向に延び、厚肉の平板状に形成されている。
【０１７１】
第４断熱材３７は、壁３８の外側面および土台６の外側面に沿って、第２断熱材８の上に、不織布５を介して配置されている。第４断熱材３７は、上下方向に延び、平板状に形成されている。なお、第４断熱材３７は、上記した第１断熱材７と同様の材料から形成されている。
【０１７２】
なお、図７では、不織布５を、２つ折したが、折り畳みの回数は限定されず、３つ（３つ折り）、あるいは、それを超過してもよい。
【０１７３】
また、図７では、１枚の不織布５を用いているが、例えば、図８に示すように、複数（具体的には、２枚）の不織布５を用いることができる。
【０１７４】
図８（ｂ）の防蟻構造１は、図８（ａ）に示すように、２枚の不織布５を備えている。
【０１７５】
図８（ｂ）の防蟻構造１を得るには、まず、図８（ａ）に示すように、２枚の不織布５を、布基礎３の上端部と、布基礎３の外側に間隔を隔てて配置される第２断熱材８の上端部とに、それぞれ配置する。
【０１７６】
具体的には、一方の不織布５を、布基礎３の上端部の外側面および上面を被覆するように、断面略Ｌ字形状に配置する。なお、一方の不織布５には、布基礎３の上端部から内方斜め下側に向かって垂れる突出部４１が形成される。
【０１７７】
他方の不織布５は、第２断熱材８の上端部の内側面および上面を被覆するように、断面略Ｌ字形状に配置される。
【０１７８】
次いで、図８（ａ）の矢印および図８（ｂ）に示すように、第２断熱材８を、布基礎３の外側面に隣接（当接）させる。
【０１７９】
これによって、布基礎３の上端部の外側面に配置される不織布５と、第２断熱材８の上端部の内側面に配置される不織布５とが、内外方向に重なり合う。
【０１８０】
図８（ｂ）の防蟻構造１は、図７（ｂ）の防蟻構造１と同様の作用効果を奏する。
【０１８１】
また、図９に示すように、不織布５を、第２断熱材８の継ぎ目３６に配置することもできる。
【０１８２】
図９において、継ぎ目１２は、第２断熱材８の鉛直方向途中において、水平方向に沿って形成される。
【０１８３】
図９の防蟻構造１では、継ぎ目１２に沿って侵入するシロアリの歩行を物理的に阻害することができる。さらに、図９の矢印が参照されるように、第２断熱材８の外側から継ぎ目１２に配置される不織布５の外端部に向けて薬剤を注入することによって、薬剤を不織布５に容易に再施工することができる。
【０１８４】
また、図９において、継ぎ目１２の上側の第２断熱材８を、独立気泡の気泡構造である樹脂発泡体から形成し、継ぎ目１２の下側の第２断熱材８を、通気性気泡の気泡構造である樹脂発泡体から形成することができる。
【０１８５】
あるいは、上記の逆、つまり、継ぎ目１２の上側の第２断熱材８を、通気性気泡の気泡構造である樹脂発泡体から形成し、継ぎ目１２の下側の第２断熱材８を、独立気泡の気泡構造である樹脂発泡体から形成することもできる。
【０１８６】
さらには、継ぎ目１２の上側および下側の両側の第２断熱材８を、ともに独立気泡の気泡構造である樹脂発泡体から形成することができ、あるいは、ともに通気性気泡の気泡構造である樹脂発泡体から形成することもできる。
【０１８７】
少なくとも第２断熱材８を通気性気泡の気泡構造である樹脂発泡体から形成すれば、薬剤の施工および再施工において、第２断熱材８は、薬剤が担持される担体、および／または、薬剤が通過するための通路となることから、薬剤が、第２断熱材８に担持され、および／または、第２断熱材８を通過する。
【０１８８】
そのため、薬剤を、第２断熱材８を介して不織布５に容易に施工および／または再施工することができる。
【０１８９】
また、図９において、継ぎ目１２の上側の第２断熱材８に代えて、図９の括弧書きで示される固形薬剤４８を施工することもできる。
【０１９０】
そのような固形薬剤４８は、例えば、塊（ブロック）状に形成されており、そのような固形薬剤４８として、例えば、市販品を用いることができ、市販品としては、特に限定されず、具体的には、タケロックＭＣブロックシリーズ（水硬化型土壌処理剤、日本エンバイロケミカルズ社製）などが用いられる。
【０１９１】
図９において、固形薬剤４８は、不織布５の上に配置され、上記した、継ぎ目１２の上側に形成される第２断熱材８と略同一形状に形成されている。
【０１９２】
そして、この防蟻構造１では、固形薬剤４８によって、防蟻効果をより一層発現させることができる。
【０１９３】
また、図１０に示すように、不織布５を、第２断熱材８と地面４４との間に配置することもできる。
【０１９４】
図１０において、第２断熱材８は、地面４４の上に、布基礎３の外側面に沿うように、不織布５を介して立設している。不織布５は、地面４４の上面であって、第２断熱材８の下面に沿って配置されている。
【０１９５】
図１０の防蟻構造１では、第２断熱材８が設けられていない地面４４の表面から、第２断熱材８の下面に沿って侵入するシロアリの歩行を物理的に阻害することができる。
【０１９６】
また、図１１に示すように、不織布５によって、土台６の表面全面を被覆することもできる。
【０１９７】
図１１において、土台６は、不織布５によって全て包まれている。詳しくは、不織布５は、土台６に沿って配置され、より具体的には、土台６の上面、下面、外側面および内側面の各面に連続して配置されている。つまり、土台６は、不織布５によって、例えば、少なくとも１周巻回されている。
【０１９８】
なお、図１１において、布基礎３の上端部および第２断熱材８の上端部に配置される不織布５は、図７（ｂ）の不織布５と同様の配置で配置されている。
【０１９９】
図１１に示す防蟻構造１では、第２断熱材８の外側から第２断熱材８の上面に配置される不織布５の外端部に向けて注入された薬剤が、第２断熱材８の上面および布基礎３の上面に沿う不織布５に沿って浸透し、次いで、土台６の各面（上面、下面、外側面および内側面）にも浸透する。そのため、シロアリにより土台６の食害を保護することができる。
【０２００】
また、薬剤を、土台６の内側から土台６の内側面に形成される不織布５に向けて施工することもできる。
【０２０１】
また、上記した図１および図３〜図１１の説明では、防蟻構造１には、断熱材（第１断熱材７、第２断熱材８、第３断熱材９および／または第４断熱材３７）を設けているが、例えば、図１２〜図２０に示すように、断熱材を設けることなく、不織布５を基礎２（布基礎３および／または打設コンクリート４）に沿って、それらの各面に直接配置することもできる。
【０２０２】
図１２（ｂ）において、不織布５は、布基礎３の内側面と、打設コンクリート４の上面とに配置されている。具体的には、不織布５は、打設コンクリート４の外端部において、断面略Ｔ字形状に形成されている。また、不織布５は、その下端部が、打設コンクリート４に埋設される埋設部４５とされ、遊端部４０が、埋設部４５から、布基礎３の内側面と、打設コンクリート４の上面とに沿うように分岐している。
【０２０３】
図１２（ｂ）の防蟻構造１を得るには、まず、図１２（ａ）の実線で示すように、布基礎３の内側面に沿って、２つ折りされた不織布５を配置する。なお、不織布５は、その折目が下側を指向するように配置される。
【０２０４】
続いて、図１２（ｂ）の仮想線で示すように、打設コンクリート４を、その上部が、不織布５の下端部、つまり、埋設部４５を埋設するように、打設する。
【０２０５】
その後、図１２（ａ）の矢印および図１２（ｂ）に示すように、不織布５を展開する。
【０２０６】
具体的には、図１２（ａ）の矢印で示すように、２つの遊端部４０のうち、内側の遊端部４０のみを内方斜め下側に拡げる。
【０２０７】
図１２の防蟻構造１では、布基礎３の内側面と、打設コンクリート４の外端部の上面とに沿って侵入するシロアリの歩行を物理的に阻害することができる。
【０２０８】
また、図１３に示すように、不織布５を、布基礎３の内側面と、打設コンクリート４の上面とに沿う断面略Ｌ字形状に配置することもできる。
【０２０９】
図１３に示す防蟻構造１は、図１２の防蟻構造１と同様の作用効果を奏する。
【０２１０】
また、図１４に示すように、図１３の打設コンクリート４の上面に配置される不織布５の上面に重石４６を載置することもできる。
【０２１１】
重石４６は、略円柱状に形成されている。なお、図１４において図示しないが、重石４６を、例えば、略角柱状、粒状など、適宜の形状に形成することもできる。なお、重石４６は、粒状に形成される場合には、重石４６として、例えば、ガラス粒子、石粒子（具体的には、小石）などが用いられる。
【０２１２】
重石４６によって、不織布５が、施工位置からずれることを防止することができる。
【０２１３】
そのため、布基礎３の内側面、および、打設コンクリート４の上面に沿って侵入するシロアリの歩行をより確実に阻害することができる。
【０２１４】
なお、図１４では図示しないが、重石４６に代えて、公知の接着剤からなる接着剤層を、不織布５と打設コンクリート４との間に介在させて、それによって、不織布５を打設コンクリート４の上面に接着することもできる。
【０２１５】
また、図１５（ａ）に示すように、不織布５に堰部４２を形成して、堰部４２によって区画される貯留部４３に、固形薬剤４８を施工することもできる。
【０２１６】
不織布５は、断面略Ｌ字形状をなし、その内端部が、堰部形成部材４７の上に乗り上げており、不織布５における乗り上げ部分が堰部４２とされる。
【０２１７】
堰部形成部材４７は、略円柱状に形成され、打設コンクリート４の上面において、布基礎３の内側面と内側に間隔を隔てて配置される。なお、堰部形成部材４７と、布基礎３との間隔は、不織布５が布基礎３の内側面に当接し、かつ、布基礎３に乗り上げる間隔となるように、調整される。なお、堰部形成部材４７の形状は、特に限定されず、例えば、略角柱状、粒状など、適宜の形状に形成することもできる。
【０２１８】
貯留部４３は、堰部４２と、布基礎３の内側面に配置される不織布５とにより区画される領域である。
【０２１９】
固形薬剤４８は、上記した防蟻成分が、例えば、粒剤、粉剤などの固形状に調製された製剤である。
【０２２０】
図１５（ｂ）の防蟻構造１を形成するには、図１５（ａ）に示すように、まず、堰部形成部材４７を、打設コンクリート４の上面において、上記した位置に配置し、次いで、不織布５を、布基礎３の内側面、および、打設コンクリート４の上面を被覆し、かつ、不織布５の内端部が、堰部形成部材４７の上に乗り上げるように、配置する。これにより、貯留部４３を区画する。
【０２２１】
その後、図１５（ｂ）に示すように、固形薬剤４８を、貯留部４３に配置する。
【０２２２】
この防蟻構造１では、布基礎３の内側面と、打設コンクリート４の上面とに沿って侵入するシロアリの歩行を物理的に阻害することができる。
【０２２３】
さらに、貯留部４３に配置される固形薬剤４８は、堰部４２によって、内側に流出することが防止される。そのため、かかる固形薬剤４８によって、防蟻効果をより一層発現させることができる。
【０２２４】
さらにまた、図１５（ｂ）に示す、固形薬剤４８は、図１４に示す重石４６と同様の作用効果を奏することできる。
【０２２５】
また、図１３〜図１５の実施形態では、不織布５を、打設コンクリート４の上に設けているが、例えば、図１６および図１７に示すように、打設コンクリート４の下に設けることもできる。
【０２２６】
図１６において、この防蟻構造１には、管３６と、管３６を被覆する不織布５とが設けられている。
【０２２７】
管３６は、打設コンクリート４の外端部の下部に沿って配置されている。具体的には、管３６は、上下方向において、打設コンクリート４の下面と、地面４４との間に配置され、また、内外方向において、打設コンクリート４の外側面と、布基礎３の内側面との間に配置されている。つまり、管３６は、打設コンクリート４と布基礎３とが接触する角に沿って配置されている。
【０２２８】
また、管３６は、奥行方向に沿って延びる丸筒状のパイプ（チューブ）状に形成されている。これによって、管３６の内部に通路３７が形成されている。
【０２２９】
管３６は、例えば、ポリエチレン、ポリプロピレン、ポリアクリロニトリル、ポリブテンなどの樹脂（プラスティック）、例えば、ステンレス、鉄などの金属などの材料から形成されている。
【０２３０】
また、管３６の外周壁には、管３６の厚み方向を貫通する穴３８が形成されている。
【０２３１】
穴３８は、管３６の周方向および奥行方向にわたって、互いに間隔を隔てて複数配置されており、略円柱状に開口形成されている。
【０２３２】
また、管３６の奥行方向途中の上部斜め内側部には、そこから上方斜め内側に延びる注入管３９が接続されており、注入管３９の内部空間と、管３６の通路３７とが、連通している。
【０２３３】
注入管３９は、略丸筒状のパイプ（チューブ）状に形成されている。この注入管９は、奥行方向において、互いに間隔を隔てて複数配置されている。各注入管３９は、その上部が、打設コンクリート４から突出し、その下部の側面が、次に説明する不織布に被覆されている。また、各注入管３９は、管３６と同様の材料から形成されている。
【０２３４】
そして、不織布５は、管３６の外周壁を被覆している。
【０２３５】
具体的には、不織布５は、管３６を少なくとも１周巻回するとともに、打設コンクリート４の下面の内外方向途中に配置されるように、形成されている。つまり、不織布５は、地面４４の上面に配置されており、具体的には、打設コンクリート４の外端部において、管３６を被覆するように、管３６に沿って配置されるとともに、打設コンクリート４の内外方向途中の下面において、その下面と地面４４の上面との間に配置されている。
【０２３６】
図１６の防蟻構造１を形成するには、まず、不織布５によって、管３６を巻回することによって被覆し、その後、不織布５によって被覆された管３６を、地面４４の上に、布基礎３の内側面に沿うように配置し、その後、打設コンクリート４を、管３６、注入管３９の下部、および、不織布５を埋設するように、打設する。
【０２３７】
この防蟻構造１では、図１５（ａ）の実施形態の作用効果に加え、不織布５への薬剤の再施工を容易に実施することができる。
【０２３８】
再施工は、薬剤を、通路３７に供給することにより、薬剤を不織布５に散布することができる。具体的には、薬剤を注入管３９に供給することによって、薬剤が、注入管３９の内部空間、管３６の通路３７、および、穴３８を介して、不織布５に散布される。
【０２３９】
また、図１６の実施形態では、不織布５を、管３６の外周壁の全周に沿って配置しているが、例えば、図示しないが、不織布５を、管３６の外周壁の下部に沿って配置することができ、あるいは、管３６の外周壁の上部に沿って配置することもできる。
【０２４０】
さらに、図１６の仮想線で示すように、不織布５を、管３６に巻回させることなく、布基礎３および打設コンクリート４に沿って配置することもできる。
【０２４１】
具体的には、不織布５は、地面４４の外側面および布基礎３の内側面の下端部の間と、地面４４の上面の外端部および打設コンクリート４の下面の外端部の間とに、断面略Ｌ字状に、配置されている。
【０２４２】
図１６の仮想線で示す実施形態では、地面４４と布基礎３の間、および、地面４４と打設コンクリート４との間に侵入するシロアリの歩行を物理的に阻害することができる。
【０２４３】
また、図１７に示すように、不織布５は、打設コンクリート４の外側面および布基礎３の内側面の間と、地面４４の上面の外端部および打設コンクリート４の下面の外端部の間とに、断面略Ｌ字状に、配置されている。
【０２４４】
図１７に示す実施形態では、打設コンクリート４と布基礎３の間、および、地面４４と打設コンクリート４との間に侵入するシロアリの歩行を物理的に阻害することができる。
【０２４５】
また、図１および図３〜図１７の説明では、防蟻構造１を布基礎形式の基礎構造部に適用しているが、例えば、図１８〜図２２に示すように、べた基礎形式の基礎構造部に適用することもできる。
【０２４６】
図１８において、そのようなべた基礎形成式の基礎構造部は、基礎２を備え、そのような基礎２は、水平方向に延びる第３基礎としてのべた基礎３４と、そのべた基礎３４から上方に延びるように配置される基礎本体３５とを備えている。
【０２４７】
べた基礎３４は、厚肉の平板状に形成されている。
【０２４８】
基礎本体３５は、厚肉の平板状に形成され、べた基礎３４の外端部の上面から上方に延びるように配置されている。
【０２４９】
また、べた基礎３４の上面には、土台６が設けられている。
【０２５０】
そして、図１８に示すように、基礎２には、不織布５が、断面略Ｔ字形状をなすように、配置されている。
【０２５１】
具体的には、不織布５は、べた基礎３４の上面と、基礎本体３５の下端部の下面および内側面とに設けられている。不織布５は、その外端部が、べた基礎３４と基礎本体３５とに挟持される挟持部３９とされ、挟持部３９より内側部分が、遊端部４０とされる。
【０２５２】
挟持部３９は、２層構造をなし、基礎本体３５の下面の内端部と、べた基礎３４の上面とによって、挟持されている。
【０２５３】
遊端部４０は、上側の挟持部３９の内端部から上方に略Ｌ字形状に屈曲し、基礎本体３５の下端部の内側面に沿って形成されるとともに、下側の挟持部３９の内端部から水平方向にべた基礎３４の上面に沿って形成されている。
【０２５４】
この防蟻構造１を形成するには、べた基礎３４の上面に、図１８の仮想線が参照されるように、２つ折りした不織布５を、その折り目が外側を指向するように、べた基礎３４の上面に載置した後、基礎本体３５を、不織布５の挟持部３９をべた基礎３４との間で挟持するように、配置する。
【０２５５】
その後、図１８の矢印で示すように、上側の遊端部４０を展開して、基礎本体３５の下端部の内側面に配置する。
【０２５６】
この防蟻構造１では、基礎本体３５の下面と、べた基礎３４の上面とに沿って侵入するシロアリの歩行を物理的に阻害することができる。
【０２５７】
また、不織布５の遊端部４０に薬剤を内側から施工することによって、容易に再施工することができる。
【０２５８】
また、図１９において、不織布５は、べた基礎３４の上面と、基礎本体３５の下端部の下面および外側面とに設けられている。
【０２５９】
具体的には、不織布５の挟持部３９は、基礎本体３５の下面の外端部と、べた基礎３４の上面とによって、挟持されている。
【０２６０】
また、遊端部４０は、上側の挟持部３９の内端部から上方に略Ｌ字形状に屈曲し、基礎本体３５の下端部の外側面に沿って形成されるとともに、下側の挟持部３９の内端部から下方に略Ｌ字形状に屈曲し、べた基礎３４の外側面に沿って形成されている。
【０２６１】
この防蟻構造１では、基礎本体３５の下面と、べた基礎３４の上面とに沿って侵入するシロアリの歩行を物理的に阻害することができる。
【０２６２】
さらに、不織布５の遊端部４０に薬剤を外側から施工することによって、容易に再施工することができる。
【０２６３】
また、図２０において、不織布５は、べた基礎３４の外端部と、基礎本体３５の下端部との両方を被覆している。
【０２６４】
詳しくは、不織布５は、べた基礎３４の外端部において、断面略Ｌ字形状をなし、べた基礎３４の外端部の上面および外側面の上端部を被覆している。
【０２６５】
また、不織布５は、基礎本体３５の下端部において、上方に向かって開く断面略コ字形状をなし、基礎本体３５の下面、下端部の外側面および下端部の内側面を被覆している。
【０２６６】
図２０に示す防蟻構造１は、図１８および図１９に示す防蟻構造１と同様の作用効果を奏する。
【０２６７】
また、図１８〜図２０のべた基礎形式の基礎構造部では、断熱材を設けていないが、例えば、図２１および図２２に示すように、断熱材（第２断熱材）を設けることもできる。
【０２６８】
図２１（ｂ）において、第２断熱材８は、べた基礎３４の外端部の上において、基礎本体３５の外側面に沿って配置されている。
【０２６９】
すなわち、不織布５は、べた基礎３４の外端部、基礎本体３５の下端部、および、第２断熱材８の下端部に沿って配置されている。
【０２７０】
具体的には、不織布５は、第２断熱材８の下端部の内側面と、基礎本体３５の外側面とに挟持され、かつ、第２断熱材８の下面と、べた基礎３４の外端部の上面とに挟持される部分が、挟持部３９とされ、第２断熱材８の下端部の外側面と、べた基礎３４の外側面とに沿って配置される部分が、遊端部４０とされている。
【０２７１】
図２１（ｂ）で示す防蟻構造１を形成するには、まず、図２１（ａ）に示すように、２つ折りした不織布５によって、第２断熱材８の下端部を被覆する。なお、不織布５は、折目が第２断熱材８の内側面に配置されるように、第２断熱材８の下端部を被覆する。
【０２７２】
次いで、図２１（ｂ）に示すように、下端部が不織布５によって被覆された第２断熱材８を、べた基礎３４の上に、基礎本体３５の外側面に沿うように配置する。その後、図２１（ｂ）の矢印で示すように、遊端部４０を展開する。
【０２７３】
図２１の防蟻構造１では、第２断熱材８とべた基礎３４との間、および、第２断熱材８と基礎本体３５との間に侵入するシロアリの歩行を物理的に阻害することができる。
【０２７４】
また、図２２（ｂ）に示すように、第２断熱材８を、基礎本体３５の外側面に加えて、さらに、べた基礎３４の外側面に形成することもでき、不織布５を、べた基礎３４の外側面に形成された第２断熱材８に沿って設けることもできる。
【０２７５】
つまり、第２断熱材８は、基礎本体３５の外側面およびべた基礎３４の外側面に形成されており、その上下方向途中には、水平方向に沿って形成される継ぎ目３６が形成されている。
【０２７６】
なお、基礎本体３５の外側面は、べた基礎３４の外側面と、上下方向に面一に形成されている。
【０２７７】
継ぎ目３６は、第２断熱材８の鉛直方向途中において、水平方向に沿って形成され、べた基礎３４の上面と、水平方向に面一に形成されている。
【０２７８】
不織布５は、基礎本体３５の下端部、第２断熱材８の上側部分（継ぎ目３６に対する上側部分）の下端部、および、第２断熱材８の下側部分（継ぎ目３６に対する下側部分）の上端部に沿って配置されている。
【０２７９】
具体的には、不織布５は、第２断熱材８の継ぎ目３６において、第２断熱材８の上側部分および下側部分に挟持され、かつ、第２断熱材８の上側部分の下端部の内側面と、基礎本体３５の外側面とに挟持される部分が、挟持部３９とされ、第２断熱材８の上側部分の下端部の外側面と、第２断熱材８の下側部分の上端部の外側面とに沿って配置される部分が、遊端部４０とされている。
【０２８０】
図２２（ｂ）で示す防蟻構造１を形成するには、まず、べた基礎３４の外側面に第２断熱材８の下側部分を配置する。
【０２８１】
次いで、２つ折りした不織布５によって、第２断熱材８の上側部分の下端部を被覆する。なお、不織布５は、折目が第２断熱材８の上側部分の内側面に配置されるように、第２断熱材８の上側部分の下端部を被覆する。
【０２８２】
次いで、図２２（ｂ）に示すように、下端部が不織布５によって被覆された第２断熱材８の上側部分を、第２断熱材８の下側部分の上に、基礎本体３５の外側面に沿うように配置する。その後、図２２（ｂ）の矢印で示すように、遊端部４０を展開する。
【０２８３】
図２２の防蟻構造１では、第２断熱材８の継ぎ目３６の間、および、第２断熱材８の上側部分と基礎本体３５との間に侵入するシロアリの歩行を物理的に阻害することができる
また、図１および図３〜図２２では、防蟻構造を、施工対象が少なくとも基礎２である防蟻構造として説明しているが、例えば、図示しないが、施工対象が、基礎２以外の建材である防蟻構造に適用することもできる。
【０２８４】
つまり、不織布５を、建材に沿って配置する。
【０２８５】
そのような建材は、例えば、木製であって、具体的には、図示しないが、基礎２の上方に間隔を隔てて配置される天井材または天井裏材などである。建材としては、例えば、梁、例えば、天井裏の壁材などが挙げられる。
【０２８６】
図２３は、本発明の防蟻構造の他の実施形態（不織布が第１被覆部材に配置される態様）を示す断面図、図２４は、本発明の防蟻構造の他の実施形態（不織布が第１被覆部材および第２被覆部材に配置される態様）を示す断面図である。
【０２８７】
なお、図２３および図２４において、紙面手前側を「前側」、紙面奥側を「後側」とする。
【０２８８】
上記した図１および図３〜図２２の説明では、防蟻構造を、施工対象が少なくとも基礎２である防蟻構造として説明しているが、例えば、図２３および図２４に示すように、施工対象が、電線および／またはケーブルである防蟻構造に適用することもできる。
【０２８９】
図２３において、この防蟻構造１は、導体２７と、それを被覆する第１被覆部材（シース）２８と、第１被覆部材２８を被覆する不織布（第１不織布）５とを備える電線２９として形成されている。
【０２９０】
導体２７は、断面略円形状をなし、例えば、銅、アルミニウムなどの導電材料から形成されている。
【０２９１】
第１被覆部材２８は、断面略円環状をなし、導体２７の外周面を被覆するように形成されており、例えば、上記した合成材料（不織布５の繊維材料として例示した合成材料）などの絶縁材料から形成されている。
【０２９２】
不織布５は、断面略円環状をなし、第１被覆部材２８の外周面を被覆するように巻回されている。
【０２９３】
そして、図２３に示す電線２９では、シロアリの不織布５の外周面における前後方向および周方向の歩行、および、シロアリの不織布５に対する径方向の貫通を、有効に防止することができる。
【０２９４】
その結果、より一層優れた防蟻効果を発現することができる。
【０２９５】
なお、上記した説明では、不織布５を第１被覆部材２８の外周面に設けているが、例えば、図示しないが、第１被覆部材２８の内周面、つまり、第１被覆部材２８と導体２７との間に設けることもできる。
【０２９６】
また、上記した説明では、本発明の防蟻構造を、１本の電線２９として説明しているが、その本数は特に限定されず、例えば、図２４に示すように、電線２９を複数本備えるケーブル３０として形成することもできる。
【０２９７】
ケーブル３０は、複数の電線２９と、それらをまとめて被覆する第２被覆部材３１（シース）と、第２被覆部材３１を被覆する不織布（第２不織布）５とを備えている。
【０２９８】
各電線２９は、互いに隣接（近接）するように配置されている。
【０２９９】
第２被覆部材３１は、断面略円環状をなし、電線２９の周囲に設けられている。
【０３００】
不織布（第２不織布）５は、第２被覆部材３１の外周面を被覆するように巻回されている。
【０３０１】
そして、図２４に示すケーブル３０では、シロアリの不織布５（第１不織布および第２不織布）の表面における前後方向および周方向の歩行、および、シロアリの不織布５に対する径方向の貫通を、有効に防止することができる。
【０３０２】
その結果、より一層優れた防蟻効果を発現することができる。
【０３０３】
また、図２３の説明では、不織布５によって、第１被覆部材２８を被覆し、図２４の説明では、不織布５によって、第１被覆部材２８および第２被覆部材３１の両方を被覆しているが、例えば、図示しないが、第２被覆部材３１のみを被覆することもできる。
【０３０４】
図２５は、本発明の防蟻構造の他の実施形態（不織布が配管に配置される態様）を示す断面図、図２６は、本発明の防蟻構造の他の実施形態（配管が断熱材によって被覆され、断熱材の切り目に不織布が配置される態様）を説明する斜視図を示す。
【０３０５】
上記した図２３および図２４の説明では、本発明の防蟻構造を、施工対象が電線および／またはケーブルである防蟻構造として説明しているが、例えば、図２５および図２６に示すように、施工対象が配管である防蟻構造に適用することもできる。
【０３０６】
図２５において、配管３２は、前後方向に延び、また、複数の配管３２が前後方向に互いに接続されている。
【０３０７】
具体的には、配管３２としては、例えば、水道管、ガス管が挙げられ、具体的には、建物の床下、地中などに埋設されている水道管、ガス管などが挙げられる。
【０３０８】
不織布５は、配管３２の外周面を被覆するように、前後方向に沿って設けられ、配管３２の周方向に巻回されている。また、不織布５は、配管３２の接続部分に生じる継ぎ目１２を被覆するように、前後方向に連続するように形成されている。
【０３０９】
この配管３２では、不織布５を配管３２の周りに巻いたり、あるいは、配管３２の周りに生じる隙間に不織布５を埋める（充填）することにより、シロアリの侵入を防止することができる。すなわち、シロアリの不織布５の外周面における前後方向および周方向の歩行、および、シロアリの不織布５に対する厚み方向（径方向）の貫通を、有効に防止することができる。
【０３１０】
また、配管３２が建物の床下または地中に埋設されていても、再施工を容易に実施することができる。
【０３１１】
とりわけ、シロアリが配管３２間の継ぎ目１２に侵入することを有効に防止することができる。
【０３１２】
また、図２５の防蟻構造１には、断熱材を設けていないが、例えば、図２６に示すように、断熱材５４を配管３２の周りに設けることもできる。
【０３１３】
図２６（ａ）において、断熱材５４は、配管３２の外周面に、前後方向に沿って配置されている。
【０３１４】
また、断熱材５４には、その前後方向を分断する切れ目５１が形成されている。切れ目５１は、配管３２の周方向にわたって形成され、配管３２の外周面を露出している。
【０３１５】
そして、図２６（ａ）に示すように、不織布５は、切り目５１内に巻き付けられている。また、不織布は、図２６（ｂ）に示すように、切れ目５１から露出する配管３２の外周面を被覆している。
【０３１６】
この防蟻構造１では、配管３２に断熱効果を付与しながら、図２５と同様の作用効果を奏することができる。
【実施例】
【０３１７】
以下に、実施例および比較例を挙げて、本発明をより具体的に説明する。ただし、本発明は、それらに何ら制限されるものではない。
【０３１８】
実施例１
ニードルパンチ法（乾式ニードルパンチ法）によって製造された不織布（繊維長５０〜８０ｍｍ、繊維径１０〜３０μｍ、目付８０ｇ／ｍ２、非圧縮時の厚み（Ｔ１）３ｍｍ、圧縮（１０ｋＰａ）時の厚み（Ｔ２）０．３ｍｍ、繊維材料：ポリエステル、商品名「クレロック」、呉羽テック社製）に、タケロックＭＣ５０スーパー（クロチアジニンの２．５重量％マイクロカプセル剤、日本エンバイロケミカルズ社製）を水で１０倍に希釈した薬剤を、含浸量が約５００ｇ／ｍ２となるように塗布し、その後、乾燥させた。
【０３１９】
その後、得られた不織布によって、２種類の松の辺材（サイズ：３０×３０×１５０ｍｍ、２０×２０×１０ｍｍ）をそれぞれ被覆し、不織布の両端部を糸で縫い合わせて、２種類の処理試験体を得た。
【０３２０】
実施例２
ケミカルボンド法によって製造された不織布（繊維長３０〜６０ｍｍ、繊維径１０〜３０μｍ、目付９０ｇ／ｍ２、非圧縮時の厚み（Ｔ１）３ｍｍ、圧縮（１０ｋＰａ）時の厚み（Ｔ２）０．４ｍｍ、繊維材料：ポリエチレンテレフタレート、商品名「ボンデン」、呉羽テック社製）に、タケロックＭＣ５０スーパー（クロチアジニンの２．５重量％マイクロカプセル剤、日本エンバイロケミカルズ社製）を水で１０倍に希釈した薬剤を、含浸量が約５００ｇ／ｍ２となるように塗布し、その後、乾燥させた。
【０３２１】
その後、得られた不織布によって、松の辺材（サイズ２０×２０×１０ｍｍ）を被覆し、不織布の両端部を糸で縫い合わせて、処理試験体を得た。
【０３２２】
比較例１
ニードルパンチ法によって製造された不織布を、スパンボンド法によって製造された不織布（繊維長１００ｍｍ超過、繊維径１０〜２０μｍ、目付１００ｇ／ｍ２、非圧縮時の厚み（Ｔ１）１ｍｍ、圧縮（１０ｋＰａ）時の厚み（Ｔ２）０．４ｍｍ、繊維材料：ポリエステル、商品名「ボランス」、東洋紡績社製）に変更し、また、処理試験体を作製しなかった以外は、実施例１と同様にして処理した。
【０３２３】
（評価）
予備試験（圧力損失および吸水率）
実施例１、２および比較例１において用いた不織布について、（ｉ）圧力損失および（ｉｉ）吸水率をそれぞれ測定した。
（ｉ）  圧力損失
上記した図２に示す圧力損失測定装置を用いて、送風量１００Ｌ／分における不織布の圧力損失（ΔＰ）を測定した。
【０３２４】
その結果、実施例１の不織布の圧力損失（ΔＰ）は２．１ｍｍ水柱であり、実施例２の不織布の圧力損失（ΔＰ）は２．０ｍｍ水柱であり、比較例１の不織布の圧力損失（ΔＰ）は５．８ｍｍ水柱であった。
（ｉｉ）  吸水率
まず、吸水前の各不織布の重量（Ｗ１）を測定した。その後、各不織布を水に十分に浸漬し、次いで、不織布を水から引き上げ、その後、不織布を軽く絞ることにより、余剰の水を落下させた後の吸水後の不織布の重量（Ｗ２）を測定し、上記した式によって、吸水率（Ａ）を算出した。
【０３２５】
その結果、実施例１の不織布の吸水率（Ａ）は１７ｇ／ｇであり、実施例２の不織布の吸水率（Ａ）は１１ｇ／ｇであり、比較例１の不織布の吸水率（Ａ）は０．４ｇ／ｇであった。
【０３２６】
防蟻試験１（歩行阻害試験）
実施例１、２および比較例１において用いたサイズ３０×３０×１５０ｍｍのそれぞれの不織布の表面に、イエシロアリを１０頭ずつ置き、それらの歩行状態をそれぞれ観察した。
【０３２７】
その結果、実施例１および２では、イエシロアリの脚部に繊維が絡みつき、歩行が困難であることを確認した。
【０３２８】
一方、比較例１では、イエシロアリが容易に歩行することを確認した。
【０３２９】
防蟻試験２（歩行阻害試験および防蟻試験）
直径９０ｍｍ、高さ２０ｍｍのプラスチック製シャーレに、含水率を８％としたケイ砂６号を５ｍｍの厚さで敷き詰めた砂層の上に、サイズ：２０×２０×１０ｍｍの松の辺材を不織布で被覆した実施例１および２の処理試験体を設置し、次いで、イエシロアリ職蟻１００頭を訪虫として、砂層が乾燥しないように、湿度９０％、２８℃の室内に保管することにより、歩行阻害試験を実施した。
【０３３０】
また、不織布で被覆されていない辺材を対照例として、上記した実施例１および２の処理試験体と同様に、歩行阻害試験を実施した。
【０３３１】
その結果、実施例１および２の処理試験体では、処理試験体の表面でイエシロアリが足を取られ、歩行が困難であることが観察され、また、保管後２４時間後には全頭が転倒または死に至っていた。
【０３３２】
一方、対照例の辺材では、辺材の表面におけるイエシロアリの容易な歩行が観察され、また、保管後２４時間後にはイエシロアリ全頭が健全であった。
【０３３３】
防蟻試験３（食害試験）
実施例１の処理試験体（サイズ：３０×３０×１５０ｍｍ）を、鹿児島県のイエシロアリ生息域における野外において、「ＪＩＳ  Ｋ１５７１  木材保存剤の性能試験および性能基準の４．３．２野外試験」に準じて防蟻試験（食害試験）を実施した。
【０３３４】
その結果、２年経過後において、実施例１の処理試験体は、イエシロアリの食害を受けなかったことを確認した。
【０３３５】
一方、同時に試験した無処理の松の辺材がイエシロアリの食害を受けたことを確認した。
【産業上の利用可能性】
【０３３６】
本発明の防蟻構造および防蟻方法は、基礎を備える建物、あるいは、建物の床下または地中の電線、ケーブルおよび／または配管などの施工対象を防蟻するために用いられる。
【符号の説明】
【０３３７】
１    防蟻構造
２    基礎
３    布基礎
４    打設コンクリート
５    不織布（第１不織布、第２不織布）
６    土台
７    第１断熱材
８    第２断熱材
９    第３断熱材
１０  束
２９  電線
３０  ケーブル
３２  配管
３４  べた基礎
３５  基礎本体
３７  第４断熱材
５４  断熱材
【図１】
0005470304.tif 000002
【図２】
0005470304.tif 000003
【図３】
0005470304.tif 000004
【図４】
0005470304.tif 000005
【図５】
0005470304.tif 000006
【図６】
0005470304.tif 000007
【図７】
0005470304.tif 000008
【図８】
0005470304.tif 000009
【図９】
0005470304.tif 000010
【図１０】
0005470304.tif 000011
【図１１】
0005470304.tif 000012
【図１２】
0005470304.tif 000013
【図１３】
0005470304.tif 000014
【図１４】
0005470304.tif 000015
【図１５】
0005470304.tif 000016
【図１６】
0005470304.tif 000017
【図１７】
0005470304.tif 000018
【図１８】
0005470304.tif 000019
【図１９】
0005470304.tif 000020
【図２０】
0005470304.tif 000021
【図２１】
0005470304.tif 000022
【図２２】
0005470304.tif 000023
【図２３】
0005470304.tif 000024
【図２４】
0005470304.tif 000025
【図２５】
0005470304.tif 000026
【図２６】
0005470304.tif 000027